【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
コヒーレント光送信機において使用するための一体型光学ブロックであって、
入力光信号を受信し、前記入力光信号を第1の入力光信号と第2の入力光信号とに分割し、光送信機チップにおいて使用するための前記第1の入力光信号を出力し、局部発振器信号として使用するための前記第2の入力光信号を出力するように構成されたビームスプリッタと、
光送信機チップから第1の変調された光信号および第2の変調された光信号を受信し、前記第1の変調された光信号と第2の変調された光信号とを合成して出力を形成するように構成された偏波コンバイナと、
前記第2の変調された光信号の偏光を、合成前に前記第1の変調された光信号の偏光に対してほぼ直交するように回転させるように構成された偏光回転子と
を備える一体型光学ブロック。
【請求項２】
前記ビームスプリッタはプリズムを備える、請求項１に記載の一体型光学ブロック。
【請求項３】
前記第1の入力光信号が通過する前記プリズムの面は前記偏波コンバイナの面に接しており、前記第1の入力光信号は光送信機チップに出力される前に前記偏波コンバイナを通過する、請求項２に記載の一体型光学ブロック。
【請求項４】
前記偏波コンバイナは、前記第1の変調された光信号を受信し、前記第1の変調された光信号を信号出力に直接渡すように構成されている、請求項１から３のいずれか一項に記載の一体型光学ブロック。
【請求項５】
前記偏光回転子は、前記偏波コンバイナの面に接しており、前記偏波コンバイナに入る前に前記第2の変調された光信号の前記偏光を回転させるように構成されている、請求項４に記載の一体型光学ブロック。
【請求項６】
前記第1の変調された光信号および第2の変調された光信号は、空間的に分離されており、前記偏波コンバイナは、合成のために前記第2の変調された光信号を前記第1の変調された光信号と整列するように向けるように構成されている、請求項１から５のいずれか一項に記載の一体型光学ブロック。
【請求項７】
少なくとも1つの光パワー測定値に基づいて光学信号のパワーを減衰させるように構成された可変光減衰器をさらに備える、請求項１から６のいずれか一項に記載の一体型光学ブロック。
【請求項８】
前記可変光減衰器は、誘電体層に入射する光信号の一部を通し、前記光信号の残りの部分を反射するように構成された誘電領域を備える、請求項７に記載の一体型光学ブロック。
【請求項９】
前記誘電領域は、2つの光透過構成部品の間に間隙を備える、請求項８に記載の一体型光学ブロック。
【請求項１０】
前記間隙は、真空、空気、および誘電材料のうちの1つを含む、請求項９に記載の一体型光学ブロック。
【請求項１１】
前記可変光減衰器は、前記誘電領域によって分離された第1のプリズムおよび第2のプリズムを備える、請求項８から１０のいずれか一項に記載の一体型光学ブロック。
【請求項１２】
前記可変光減衰器は、通過する前記光信号の前記一部を変化させるように界面を変更するように構成された制御機構を備える、請求項８から１１のいずれか一項に記載の一体型光学ブロック。
【請求項１３】
前記制御機構の少なくとも一部は、その偏向によって前記界面を変更するように前記可変光減衰器の面に接続されており、前記制御機構は、熱的に制御されたバイメタルストリップ、および圧電素子のうちの1つを備える、請求項１２に記載の一体型光学ブロック。
【請求項１４】
前記可変光減衰器は、光シャッタとして動作するように構成されている、請求項７から１３のいずれか一項に記載の一体型光学ブロック。
【請求項１５】
前記一体型光学ブロックの1つまたは複数の要素の位置合わせ不良を緩和するために前記一体型光学ブロックを通じて伝搬する1つまたは複数の光信号の向きを変更するように構成されたアライメントトリマをさらに備える、請求項１から１４のいずれか一項に記載の一体型光学ブロック。
【請求項１６】
前記アライメントトリマは、第1の偏光を有する光を反射するとともに前記第1の偏光に対して直交する第2の偏光を有する光を通すように構成された誘電体層を備えており、反射光信号がほぼ90度だけ回転された偏光を有するように光信号を反射するように構成されているとともに、前記誘電体層から反射光信号を受信し、前記反射光信号の角度を変更するようになされている少なくとも1つの偏光回転ミラーをさらに備える、請求項１５に記載の一体型光学ブロック。
【請求項１７】
前記アライメントトリマは、前記誘電体層によって分離された第1のプリズムおよび第2のプリズムをさらに備える、請求項１６に記載の一体型光学ブロック。
【請求項１８】
前記アライメントトリマは、前記アライメントトリマの対向する面に第1の偏光回転ミラーと第2の偏光回転ミラーとをさらに備え、
前記第1の偏光回転ミラーは、前記アライメントトリマに入って前記誘電体層から反射された第1の偏光を有する第1の光信号を受信し、前記第1の光信号を反射して、前記第1の偏光に対してほぼ直交する第2の偏光を有する第2の光信号を生成するように構成されており、それによって前記第2の光信号は前記誘電体層を通過できるようになされており、
前記第2の偏光回転ミラーは、前記第2の光信号を受信し、前記第2の光信号を反射して前記第1の偏光を有する第3の光信号を生成するように構成されており、それによって前記第3の光信号は、前記誘電体層によって反射させられ、前記アライメントトリマから出るようになされており、
前記第1の偏光回転ミラーおよび第2の偏光回転ミラーの一方または両方は、前記第3の光信号が前記第1の光信号が前記アライメントトリマに入った角度とは異なる角度で前記アライメントトリマから出て行くように位置合わせされている、
請求項１６または１７に記載の一体型光学ブロック。
【請求項１９】
前記少なくとも1つの偏光回転ミラーは、接着剤によって所定の位置に保持され、前記接着剤を硬化させる前に所望のアライメントに設定することができる、請求項１６から１８のいずれか一項に記載の一体型光学ブロック。
【請求項２０】
前記少なくとも1つの偏光回転ミラーは、湾曲した反射面を備える、請求項１６から１９のいずれか一項に記載の一体型光学ブロック。
【請求項２１】
前記アライメントトリマは、前記少なくとも1つの偏光回転ミラーと前記アライメントトリマの対応する面との間に光透過ブロックをさらに備える、請求項１６から２０のいずれか一項に記載の一体型光学ブロック。
【請求項２２】
前記アライメントトリマは、第1および第2の内部ファセットならびに少なくとも1つのミラーを備えた透過光学要素を備えており、前記アライメントトリマは、前記ミラーのアライメントによって決定された角度において前記アライメントトリマから出力されるように、受信した光信号を前記第1の内部ファセットで、前記少なくとも1つのミラーおよび前記第2の内部ファセットで反射するように構成されている、請求項２１に記載の一体型光学ブロック。
【請求項２３】
前記一体型光学ブロックから出力される光信号と前記一体型光学ブロックへ入力される光信号との間のピッチを制御するように構成されたピッチトランスフォーマをさらに備え、前記ピッチトランスフォーマは、
受信した光信号の向きに対して角度が付けられるように配置された対向するほぼ平行な面を備えた透過光学要素を備えており、前記対向する面は、受信した光信号が、前記対向する各面から反射され、前記受信した光信号の向きとほぼ平行な前記ピッチトランスフォーマから出力され、前記受信した光信号の前記向きからオフセットされるように構成されている、請求項１から２２のいずれか一項に記載の一体型光学ブロック。
【請求項２４】
複数の出力および/または入力を与えるようになされており、ほぼ250マイクロメートルの共通ピッチを有する複数のピッチ調節装置を備える、請求項２３に記載の一体型光学ブロック。
【請求項２５】
請求項１から２４のいずれか一項に記載の一体型光学ブロックを1つまたは複数個備える光学部品。
【請求項２６】
請求項１から２４のいずれか一項に記載の一体型光学ブロックを1つまたは複数個備えるコヒーレント光送信機デバイス。
【請求項２７】
1つまたは複数の光学チップを備えており、1つまたは複数の一体型光学ブロックは、前記1つまたは複数の光学チップへ光信号を発するとともに、前記1つまたは複数の光学チップから光信号を受信するようになされている、請求項２６に記載のコヒーレント光送信機デバイス。
【請求項２８】
前記1つまたは複数の光学チップは、複数の光送信機、複数の光受信機、または少なくとも1つの光送信機および少なくとも1つの光受信機を備えた光学チップを備える、請求項２７に記載のコヒーレント光送信機デバイス。
【請求項２９】
前記1つまたは複数の一体型光学ブロックと前記1つまたは複数の光学チップとの間に配置された1つまたは複数のレンズアレイをさらに備えており、前記レンズアレイ内の複数のレンズは、前記一体型光学ブロックと前記光学チップとの間を通過する光の焦点を合わせるように構成されている、請求項２７または２８に記載のコヒーレント光送信機デバイス。
【請求項３０】
複数の光送信機チップおよび/または光受信機チップを備えており、前記一体型光学ブロックは、前記複数の光送信機チップおよび/または光受信機チップの一方へ光信号を発するとともに、前記複数の光送信機チップおよび/または光受信機チップの一方から光信号を受信するようになされている、請求項２６から２９のいずれか一項に記載のコヒーレント光送信機デバイス。
【請求項３１】
単一のモノリシック構造を形成するようになされている複数の一体型光学ブロックを備える、請求項３０に記載のコヒーレント光送信機デバイス。
【請求項３２】
1つまたは複数の一体型光学ブロックは、前記1つまたは複数の光学チップに出入りする光信号の向きを横切る向きから入力光信号を受信するように構成されている、請求項２７から３１のいずれか一項に記載のコヒーレント光送信機デバイス。
【請求項３３】
入力光信号を1つまたは複数の一体型光学ブロックへ供給するように構成された1つまたは複数のチューナブルレーザをさらに備える、請求項２６から３２のいずれか一項に記載のコヒーレント光送信機デバイス。
【請求項３４】
請求項１から２４のいずれか一項に記載一体型光学ブロックを1つまたは複数個備えるコヒーレント光送受信機デバイス。
【請求項３５】
1つまたは複数の光学チップを備えており、1つまたは複数の一体型光学ブロックは、前記1つまたは複数の光学チップへ光信号を発するとともに、前記1つまたは複数の光学チップから光信号を受信するようになされている、請求項３４に記載のコヒーレント光送受信機デバイス。
【請求項３６】
前記1つまたは複数の光学チップは、複数の光送信機、複数の光受信機、または少なくとも1つの光送信機および少なくとも1つの光受信機を備えた光学チップを備える、請求項３５に記載のコヒーレント光送受信機デバイス。
【請求項３７】
前記1つまたは複数の一体型光学ブロックと前記1つまたは複数の光学チップとの間に配置された1つまたは複数のレンズアレイをさらに備えており、前記レンズアレイ内の複数のレンズは、前記一体型光学ブロックと前記光学チップとの間を通過する光の焦点を合わせるように構成されている、請求項３５または３６に記載のコヒーレント光送受信機デバイス。
【請求項３８】
複数の光送信機チップおよび/または光受信機チップを備えており、前記一体型光学ブロックは、前記複数の光送信機チップおよび/または光受信機チップの一方へ光信号を発するとともに、前記複数の光送信機チップおよび/または光受信機チップの一方から光信号を受信するようになされている、請求項３４から３７のいずれか一項に記載のコヒーレント光送受信機デバイス。
【請求項３９】
単一のモノリシック構造を形成するようになされている複数の一体型光学ブロックを備える、請求項３８に記載のコヒーレント光送受信機デバイス。
【請求項４０】
1つまたは複数の一体型光学ブロックは、前記1つまたは複数の光学チップに出入りする光信号の向きを横切る向きから入力光信号を受信するように構成されている、請求項３５から３９のいずれか一項に記載のコヒーレント光送受信機デバイス。
【請求項４１】
入力光信号を1つまたは複数の一体型光学ブロックへ供給するように構成された1つまたは複数のチューナブルレーザをさらに備える、請求項３４から４０のいずれか一項に記載のコヒーレント光送受信機デバイス。